(57)【要約】【課題】取付板に対するリモコン装置本体の着脱を容易かつ適切に行なうことができ、また構成が簡易であって、リモコン装置本体を取付板に仮固定させるのに適するリモコン装置の取付け構造を提供する。【解決手段】所望の壁面９に取り付けられる取付板３、リモコン装置本体１、および取付板３に設けられた係入用凹溝部３３を備えているリモコン装置の取付け構造であって、リモコン装置本体１および取付板３の一方には、孔部３４が設けられ、かつ他方には、リモコン装置本体１の外周縁の一部が係入用凹溝部３３に係入している状態において孔部３４に挿入可能な突起１３が設けられており、この突起１３は、その直径または幅が拡縮可能に弾性を有しており、かつこの突起１３が孔部３４に嵌入したときには、この突起１３が圧縮変形してその外周面が孔部３４の縁部に圧接するように構成されている。【選択図】  図５
2008187069.tif 000002
【特許請求の範囲】
【請求項１】
所望の壁面に取り付けられる取付板と、
この取付板の正面に配されるようにしてこの取付板に取り付けられるリモコン装置本体と、
前記取付板に設けられ、かつ前記リモコン装置本体の外周縁の一部を係入させるための係入用凹溝部と、
を備えている、リモコン装置の取付け構造であって、
前記リモコン装置本体および前記取付板の一方には、切欠き状または非切欠き状の孔部が設けられているとともに、他方には、前記リモコン装置本体の外周縁の一部が前記係入用凹溝部に係入している状態において前記孔部に挿入可能な突起が設けられており、
この突起は、その直径または幅が拡縮可能に弾性を有しており、かつこの突起が前記孔部に挿入したときには、この突起が圧縮変形してその外周面が前記孔部の縁部に圧接するように構成されていることを特徴とする、リモコン装置の取付け構造。
【請求項２】
前記突起は、その先端部から基端側に向けて延びる１または複数のスリットを備えていることにより前記弾性を有しており、
前記突起の先端部には、この先端部が前記孔部に嵌入されるときに前記孔部の縁部に接触してこの突起の直径または幅を縮小させるための傾斜面が形成されている、請求項１に記載のリモコン装置の取付け構造。
【請求項３】
前記リモコン装置本体の背面側には配線コードが接続され、かつ前記取付板には、前記配線コードを通すための開口部が形成されており、
前記リモコン装置本体は、その外周縁の一部を前記係入用凹溝部に係入させた状態において、この係入部分を支点として前記取付板と対面する方向に揺動可能であるとともに、前記リモコン装置本体の背面部全体を前記取付板に接近させることにより前記突起を前記孔部に嵌入可能な構成とされている、請求項１または２に記載のリモコン装置の取付け構造。
【請求項４】
前記取付板の係入用凹溝部は、前記取付板の下部から前方に突出して水平方向に延びる突出部、およびこの突出部の前端から上向きに起立する起立部によって規定されており、かつ前記リモコン装置本体は、その下部が前記突出部上に載置されることによってその重量が受けられる構成とされ、
前記突起および孔部としては、前記リモコン装置本体の上部および前記取付板の上部に設けられて水平方向に間隔を隔てて並ぶ一対の突起および一対の孔部が設けられている、請求項１ないし３のいずれかに記載のリモコン装置の取付け構造。
【請求項５】
前記突出部の水平方向の幅は、前記一対の突起および一対の孔部の間隔よりも大きくされている、請求項４に記載のリモコン装置の取付け構造。
【請求項６】
前記リモコン装置および前記取付板のそれぞれには、前記リモコン装置をネジ体を用いて前記取付板に固定させるための孔部が設けられているとともに、
前記各突起は、水平方向に弾性変形可能である、請求項４または５に記載のリモコン装置の取付け構造。
【発明の詳細な説明】
【技術分野】
【０００１】
本発明は、給湯器やその他の装置・機器類用のリモコン装置を家屋の台所や洗面所などの所望の壁面に取り付けるための構造に関する。
【背景技術】
【０００２】
たとえば、給湯器用のリモコン装置を台所の壁面に取り付ける場合、この壁面に金属製の取付板をネジ止めした後に、この取付板に対してリモコン装置本体をネジ止めし、その後このリモコン装置本体に化粧カバーを装着する手段がよく用いられている。ただし、リモコン装置本体の背面側には電気配線コードが接続されているのが通例であり、リモコン装置本体を取付板にネジ止めする際には、壁面および取付板に形成されている開口部に電気配線コードを通すような作業を行なう必要もある。したがって、前記した作業手順のみでは、作業者がリモコン装置本体を取付板に取り付ける際の作業が煩わしく、リモコン装置本体を誤って落下させ易いという不具合がある。このため、リモコン装置本体を取付板にネジ止めする前に、このリモコン装置本体を取付板に対して簡易な作業によって仮固定させることが可能な手段が新たに提案されることが望まれる。
【０００３】
なお、従来においては、リモコン装置本体を取付板に簡易な作業で取り付けるための手段として、特許文献１に記載された手段がある。同文献に記載された手段においては、取付板の前面側およびリモコン装置本体の背面側のそれぞれに、断面略く字状の起立部を突設し、これら起立部どうしを係合させるようにしている。しかしながら、このような手段によれば、く字状の起立部が取付板とリモコン装置本体との間に介在するために、リモコン装置本体を取付板に接近させることが難しい。このため、リモコン装置本体が取付板および壁面から大きく嵩張って取り付けられることとなり、体裁の悪いものとなる。
【０００４】
また、従来においては、特許文献２に記載された手段もある。同文献に記載された手段においては、凹溝状の２つの係合受け部を取付板に形成しておき、リモコン装置本体の外周縁の一部を一方の係合受け部に係合させる。また、リモコン装置本体の他の部分には、バネ性を有するフック状の係合用爪をリモコン装置本体の背面側に大きく突出しないように形成しておき、この係合用爪を他方の係合受け部に係合させる。このような手段によれば、特許文献１とは異なり、リモコン装置本体を取付板に接近させて取り付けることが可能である。しかしながら、このような手段によれば、メンテナンスなどを目的としてリモコン装置本体を取付板から取り外したい場合に、このリモコン装置本体を取付板の正面に引っ張るだけでは、このリモコン装置本体を取付板から離脱させることはできない。リモコン装置本体を取り外すには、工具を利用して係合用爪を押圧し、係合受け部から離脱させる作業を行なう必要がある。したがって、その作業は面倒である。
【０００５】
【特許文献１】実開昭６２−１６０２６１号公報
【特許文献２】特開平６−１４１３７５号公報
【発明の開示】
【発明が解決しようとする課題】
【０００６】
本発明は、前記したような事情のもとで考え出されたものであって、取付板に対するリモコン装置本体の着脱を容易かつ適切に行なうことができ、また構成が簡易であって、リモコン装置本体を取付板に仮固定させるのに適するリモコン装置の取付け構造を提供することをその課題としている。
【課題を解決するための手段】
【０００７】
上記の課題を解決するため、本発明では、次の技術的手段を講じている。
【０００８】
本発明により提供されるリモコン装置の取付け構造は、所望の壁面に取り付けられる取付板と、この取付板の正面に配されるようにしてこの取付板に取り付けられるリモコン装置本体と、前記取付板に設けられ、かつ前記リモコン装置本体の外周縁の一部を係入させるための係入用凹溝部と、を備えている、リモコン装置の取付け構造であって、前記リモコン装置本体および前記取付板の一方には、切欠き状または非切欠き状の孔部が設けられているとともに、他方には、前記リモコン装置本体の外周縁の一部が前記係入用凹溝部に係入している状態において前記孔部に挿入可能な突起が設けられており、この突起は、その直径または幅が拡縮可能に弾性を有しており、かつこの突起が前記孔部に挿入したときには、この突起が圧縮変形してその外周面が前記孔部の縁部に圧接するように構成されていることを特徴としている。
【０００９】
このような構成によれば、前記リモコン装置本体の外周縁の一部を前記取付板の係入用凹溝部に係入させるとともに、前記突起を前記孔部に挿入させるだけの簡易な作業によって、前記リモコン装置本体を取付板に取り付けることができる。前記突起が前記孔部に挿入されたときには、この突起は圧縮変形して前記孔部の縁部に圧接するために、前記突起が前記孔部から不用意に抜け外れることが防止され、リモコン装置本体を適正に取り付けることができる。したがって、リモコン装置本体を取付板にネジ止めなどの手段を用いて強固に取り付ける前の仮固定手段として好適である。また、重要な効果として、本発明によれば、前述した特許文献１とは異なり、リモコン装置本体と取付板との間にこれらを係合させるための係合手段が配置される無駄な空間スペースを生じないようにすることができる。したがって、リモコン装置本体を取付板に接触または接近させ、リモコン装置本体が取付板の正面に大きく嵩張った不体裁な形態にならないようにすることもできる。さらに、本発明によれば、リモコン装置本体をその正面方向に引っ張ることにより、前記突起を前記孔部から簡単に抜き外すことが可能である。したがって、メンテナンスなどを目的として、リモコン装置本体を取付板から取り外す場合の作業性も良好なものにすることができる。
【００１０】
本発明の好ましい実施の形態においては、前記突起は、その先端部から基端側に向けて延びる１または複数のスリットを備えていることにより前記弾性を有しており、前記突起の先端部には、この先端部が前記孔部に嵌入されるときに前記孔部の縁部に接触してこの突起の直径または幅を縮小させるための傾斜面が形成されている。
【００１１】
このような構成によれば、簡易な構成により前記突起に所定の弾性を具備させることができ、その形成が容易となる。また、前記傾斜面が形成されていることにより、前記突起を孔部に挿入させる作業も円滑に行なうことができる。
【００１２】
本発明の好ましい実施の形態においては、前記リモコン装置本体の背面側には配線コードが接続され、かつ前記取付板には、前記配線コードを通すための開口部が形成されており、前記リモコン装置本体は、その外周縁の一部を前記係入用凹溝部に係入させた状態において、この係入部分を支点として前記取付板と対面する方向に揺動可能であるとともに、前記リモコン装置本体の背面部全体を前記取付板に接近させることにより前記突起を前記孔部に嵌入可能な構成とされている。
【００１３】
このような構成によれば、リモコン装置本体の背面側に接続された配線コードが取付板の開口部に通された方向にリモコン装置本体を移動させて取付板に取り付けることができるために、配線コードを始末する作業が容易となる。
【００１４】
本発明の好ましい実施の形態においては、前記取付板の係入用凹溝部は、前記取付板の下部から前方に突出して水平方向に延びる突出部、およびこの突出部の前端から上向きに起立する起立部によって規定されており、かつ前記リモコン装置本体は、その下部が前記突出部上に載置されることによってその重量が受けられる構成とされ、前記突起および孔部としては、前記リモコン装置本体の上部および前記取付板の上部に設けられて水平方向に間隔を隔てて並ぶ一対の突起および一対の孔部が設けられている。
【００１５】
このような構成によれば、リモコン装置本体の重量が取付板によって受けられるために、突起に大きな負荷(リモコン装置本体の重量)が作用しないようにすることができる。したがって、前記突起がたとえば合成樹脂成形されたものであっても、容易に損傷しないようにすることが可能となる。また、前記構成によれば、リモコン装置本体の上部の水平方向に間隔を隔てた２箇所において突起と孔部とが嵌合するとともに、リモコン装置本体の下部が係入用凹溝部に係入しており、リモコン装置本体がそれら３箇所において支持されるために、リモコン装置本体が大きくがたつかないように安定的に支持することも可能となる。
【００１６】
本発明の好ましい実施の形態においては、前記突出部の水平方向の幅は、前記一対の突起および一対の孔部の間隔よりも大きくされている。
【００１７】
このような構成によれば、前記突出部によってリモコン装置本体の下部をより安定的に支持することができ、リモコン装置本体のがたつきを抑制するのに一層好適となる。
【００１８】
本発明の好ましい実施の形態においては、前記リモコン装置および前記取付板のそれぞれには、前記リモコン装置をネジ体を用いて前記取付板に固定させるための孔部が設けられているとともに、前記各突起は、水平方向に弾性変形可能である。
【００１９】
このような構成によれば、ネジ体を用いてリモコン装置本体を取付板に確実かつ強固に取り付けることが可能となるが、そのネジ止めに利用されるリモコン装置本体および取付板のそれぞれの孔部が水平方向に位置ずれしている場合には、前記各突起を弾性変形させてリモコン装置本体を水平方向に変位させることにより、前記孔部どうしを適切に位置合わせすることができる。
【００２０】
本発明のその他の特徴および利点は、添付図面を参照して以下に行なう発明の実施の形態の説明から、より明らかになるであろう。
【発明を実施するための最良の形態】
【００２１】
以下、本発明の好ましい実施の形態について、図面を参照して具体的に説明する。
【００２２】
図１〜図６は、本発明が適用されたリモコン装置の取付け構造およびこれに関連する構成の一例を示している。本実施形態のリモコン装置の取付け構造は、図１に示すように、たとえば給湯器用のリモコン装置Ａが台所またはその他の部屋の壁面９に取り付けられた構造とされている。図２によく表われているように、リモコン装置Ａは、リモコン装置本体１および化粧カバー２を具備して構成されており、リモコン装置本体１は、取付板３を利用して壁面９に取り付けられる。壁面９には、リモコン装置本体１の背面に接続された電力供給用および信号送受信用の複数の配線コードＣを通すための開口部９０が形成されている。
【００２３】
取付板３は、金属板にプレス加工などを施して構成されたものであり、図３によく表われているように、正面視略矩形の枠状である。この取付板３の中央開口部３０は、配線コードＣを通すのに利用される。この取付板３には、図２に示すネジ体４０を挿通させるための一対の孔部３１ａ，３１ｂ、およびネジ体４１を螺合させるための一対のネジ孔３２が形成されている。これらに加え、取付板３には、係入用凹溝部３３、および切欠き状の一対の孔部３４も形成されている。
【００２４】
係入用凹溝部３３は、リモコン装置本体１の後述する突縁部１４を係入させるための部分であり、取付板３の下縁部の一部に屈曲加工を施し、この取付板３の正面に突出した突出部３３ａと、この突出部３３ａの前端において上向きに起立した起立部３３ｂとを形成することにより構成されている。一対の孔部３４は、リモコン装置本体１に設けられている後述の突起１３を挿入させるための部分であり、上下方向に延び、かつ上部が開口した切欠き状である。これら一対の孔部３４は、取付板３の上縁部３５に左右水平方向に適当な間隔Ｌ１を隔てて設けられている。好ましくは、係入用凹溝部３３の水平方向の幅Ｌ２は、前記した間隔Ｌ１よりも大きくされている。取付板３の上縁部３５は、その下方部分よりも適当な間隔Ｌ３だけ前方に突出した段差部として形成されており、取付板３を壁面９に取り付けた際にはこの上縁部３５と壁面９との間に隙間が生じるようになっている。
【００２５】
図４に示すように、リモコン装置本体１は、給湯器の運転のオン・オフや目標給湯温度の設定制御などを行なうための電気および電子回路（図示略）を備えた制御基板１０が筐体１１内に収容された構成を有している。制御基板１０には、たとえば液晶パネルを利用したデータ表示部１０ａやスピーカ１０ｂなども搭載されている（図５も参照）。筐体１１は、データ表示部１０ａによる表示を筐体１１の正面から目視し得るようにたとえば透明樹脂製とされている。また、この筐体１１の前面部には、操作スイッチを構成する複数の操作用押圧部１０ｃも形成されている。
【００２６】
筐体１１の上部には、リモコン装置本体１を取付板３にネジ止めするための一対のネジ体挿通孔１２が形成されている。また、リモコン装置本体１を取付板３に仮固定させるための一対の突起１３も設けられている。これら一対の突起１３は、筐体１１に一体成形されており、筐体１１の背面方向に突出している。各突起１３は、図４（ｂ）によく表われているように、その先端部から基端部に向けて延びたスリット１３ａを有しており、このスリット１３ａを挟んで左右水平方向に並んだ一対の分割突起部１３ｂを備えた構成とされている。この構成に基づき、突起１３は水平方向の幅が拡縮可能な弾性を有しており、図６（ｂ）に示すように、取付板３の孔部３４に挿入されたときには、一対の分割突起部１３ｂが互いに接近する方向に撓み変形し、その弾性復元力によって孔部３４の縁部（より正確には、縁部内面）に圧接するようになっている。なお、スリット１３ａの深さ、または幅を変更することにより、突起１３の弾性変形のし易さや、変形時の弾発力の大きさを好ましいものに設定することが可能である。各突起１３は、円柱状の突起にスリット１３ａが形成された基本形態を有しているが、その先端部はたとえば略半球状に形成されており、先端寄りほどこの突起１３の太さを小さくする傾斜面１３ｃを有している。
【００２７】
図４（ａ）に表われているように、筐体１１の下面部の背面寄りの位置には、下向きに突出した突縁部１４が形成されている。この突縁部１４の左右幅方向の中央部は、取付板３の係入用凹溝部３３に係入させるための部分である。ただし、本実施形態においては、突縁部１４の幅方向中央部には、下部開口状の切欠き凹部１４ａが形成されている。また、この切欠き凹部１４ａの両端の一対の壁部１４ｂは、上方ほどそれらの間隔が狭まるように傾斜した傾斜面とされている。
【００２８】
図１および図２において、化粧カバー２は、リモコン装置本体１を保護しつつ、リモコン装置Ａ全体の外観体裁を良好とする役割を果たすものであり、リモコン装置本体１の前面部およびその上下左右の周側面部を覆うことが可能な合成樹脂製のケース状である。この化粧カバー２には、リモコン装置本体１の操作用押圧部１０ｃを押圧操作するための操作部２０や、データ表示部１０ａを透視可能とする透明窓部２１などが設けられている。リモコン装置本体１に対する化粧カバー２の取り付け手段としては、筐体１１に対して化粧カバー２を外嵌する手段が採用され、また化粧カバー２が筐体１１から容易に抜け外れないようにするための手段として、これらにはたとえば互いに係脱可能な凹凸状の係合用手段（図示略）が設けられている。本発明は、リモコン装置本体１と化粧カバー２との取り付け構造の簡易化を主眼とするものではなく、その取り付け手段としては種々の手段を採用することができる。
【００２９】
次に、取付板３を利用してリモコン装置Ａを壁面９に取付ける場合の作業手順、および作用について説明する。
【００３０】
まず、取付板３については、ネジ体４０を利用して壁面９に固定させる。次いで、図５（ａ）に示すように、リモコン装置本体１の突縁部１４の幅方向中央部を係入用凹溝部３３に係入させることにより、リモコン装置本体１の背面側を取付板３に対面させる（図６（ａ）も参照）。この状態においては、前記係入部分を中心として、リモコン装置本体１を前後方向（図５（ａ）の矢印Ｎ１方向）に揺動させることが可能であり、配線コードＣを孔部９０内に対してその正面から押し込むようにして、リモコン装置本体１を取付板３に接近させることができる。また、この接近により、図５（ｂ）および図６（ｂ）に示すように、突起１３を孔部３４に挿入させる。突起１３は、孔部３４に挿入されていない自然状態においては孔部３４の幅よりも太いサイズであるが、その先端部にはこの突起１３を先細状とする傾斜面１３ｃが形成されているために、孔部３４に対してその先端部からスムーズに嵌入させることができる。前記係入部分を支点としてリモコン装置本体１を取付板３に接近させる際には、突起１３が前記係入部分を中心とする円弧軌跡を描きながら孔部３４に向けて進行する。これに対し、孔部３４は上下方向に延びた長孔とされ、またその上部が開口した切欠き状であるために、円弧軌跡で進行してくる突起１３を取付板３の孔部３４以外の部分に不当に干渉させるようなことなく、孔部３４内に適切に挿入させることができる。
【００３１】
突起１３が孔部３４に挿入された状態においては、この突起１３の水平方向の幅が縮小するように変形し、その弾発力によってこの突起１３の各分割突起部１３ｂが孔部３４の縁部に圧接する。その結果、突起１３が孔部３４から容易に抜け外れないようになる。一方、リモコン装置本体１の下部は、係入用凹溝部３３に係入して保持されている。このようなことから、リモコン装置本体１の仮固定が適切に図られ、リモコン装置本体１が不用意に落下するといった不具合は適切に回避される。また、リモコン装置本体１の重量は突出部３３ａによって受けられており、突起１３には大きく作用しないために、突起１３の保護も好適に図られる。取付板３の突出部３３ａは、たとえば図４の仮想線で示すような配置とされ、筐体１１の下面部に当接するが、この突出部３３ａの幅（図３に示した係入用凹溝部３３の幅Ｌ２と同一）は、一対の孔部３４および突起１３の間隔Ｌ１よりも大きいために、リモコン装置本体１を上下方向にがたつきを生じないようにその姿勢を安定させるのに好ましいものとなる。なお、このような構成に代えて、たとえば図７に示すような構成とすることもできる。同図に示す構成においては、取付板３の突出部３３ａの幅方向両端のエッジ部３３ａ’を、突縁部１４の傾斜した一対の壁部１４ｂに当接させている。このような構成であっても、リモコン装置本体１を安定させて支持することが可能である。
【００３２】
前記したようにリモコン装置本体１を安定させた状態に仮固定させれば、その後にネジ体４１を利用してリモコン装置本体１を取付板３に固定させる場合に、リモコン装置本体１を手で把持するような必要がなくなり、その作業が容易化される。また、この固定作業時においては、次に述べるような効果も得られる。すなわち、突起１３は、水平方向に弾性変形可能であるために、リモコン装置本体１を左右水平方向に押圧し、この突起１３を同方向に変形させることによって、リモコン装置本体１を取付板３に仮固定させたまま左右水平方向に変位させることが可能である。したがって、リモコン装置本体１のネジ体挿通用孔１２と取付板３のネジ孔３２とが左右水平方向に位置ずれしていたとしても、それらの位置合わせを行なって、適正なネジ止めが可能となる。リモコン装置本体１を取付板３に固定させた後には、化粧カバー２をリモコン装置本体１に取り付けることにより、図１に示したような態様でのリモコン装置Ａの取り付けが完了する。
【００３３】
このように、本実施形態のリモコン装置の取付け構造によれば、リモコン装置本体１を取付板３に対して簡易な作業によって安定的に仮固定させることができ、リモコン装置Ａの取り付け作業が容易化される。また、本実施形態によれば、図５（ｂ）および図６（ｂ）に示すように、取付板３に対してリモコン装置本体１を接触または接近させることができ、リモコン装置本体１が取付板３の正面に大きく嵩張った不体裁な状態に取り付けられることも適切に回避することが可能である。リモコン装置Ａの取り付け後においては、メンテナンスなどを目的としてこのリモコン装置Ａを壁面９から取り外す場合があるが、リモコン装置本体１の仮固定状態は、このリモコン装置本体１を取付板３の前方に引っ張って突起１３を孔部３４から抜脱させることによって簡単に解除される。したがって、仮固定状態を解除するのに特殊な工具を用いたり、あるいは特殊な操作を行なう必要もなく、リモコン装置本体１の取り外し作業が煩雑化するといった不具合もない。
【００３４】
本発明は、上述した実施形態に限定されるものではない。本発明に係るリモコン装置の取付け構造の各部の具体的な構成は、種々に設計変更自在である。
【００３５】
上述した実施形態においては、突起に弾性を具備させる手段として、突起にスリットを形成しているが、このスリットは複数であってもよい。また、スリットの形状をたとえば断面十字状として１つの突起を４分割するなど、スリットの形状を種々の形状にすることもできる。さらに、突起に弾性を具備させる手段としては、スリットを形成する手段以外に、たとえば弾性部材を用いて突起を形成するといった他の手段を採用することもできる。
【００３６】
突起が挿入される孔部は、前記した実施形態では、上部が開口した切欠き状の長孔とされているが、これに代えて、非切欠き状の孔として形成することも可能である。また、上述の実施形態では、突起をリモコン装置本体に形成し、かつ孔部を取付板に形成しているが、これとは反対に、突起を取付板に形成し、かつ孔部をリモコン装置本体に形成した構成とすることもできる。取付板の係入用凹溝部は、リモコン装置本体の重量を取付板によって受けるという観点からすると、取付板の下部に形成し、リモコン装置本体の下部を係入させることが好ましいものの、やはり本発明はこれとは異なる構成とすることができる。たとえば、係入用凹溝部が取付板の上部または水平方向一端部に形成される一方、突起および孔部がリモコン装置本体や取付板の下部または水平方向他端部に設けられた構成とすることもできる。
【００３７】
取付板は、リモコン装置本体を壁面に取り付けるためのベースとなる部材であり、その具体的な形状や材質などは限定されない。この取付板は、複数の部材を用いて構成することもできる。本発明でいうリモコン装置本体とは、リモコン装置の主要部をなす部分であり、その具体的な構成はとくに限定されるものではない。本発明は、給湯器用のリモコン装置に限らず、壁面に取付けられる種々のリモコン装置の取り付けに適用することが可能である。
【図面の簡単な説明】
【００３８】
【図１】本発明が適用されたリモコン装置の取付け構造の一例を示す外観斜視図である。
【図２】図１に示すリモコン装置の取付け構造の分解斜視図である。
【図３】取付板の一例を示す斜視図である。
【図４】（ａ）は、リモコン装置本体の一例を示す正面図であり、（ｂ）は、（ａ）のIV−IV断面図である。
【図５】（ａ）は、リモコン装置本体を取付板に取り付ける前の状態を示す要部側面断面図であり、（ｂ）は、リモコン装置本体を取付板に取り付けた後の状態を示す要部側面断面図である。
【図６】（ａ）は、リモコン装置本体を取付板に取り付ける前の状態を示す要部平面断面図であり、（ｂ）は、リモコン装置本体を取付板に取り付けた後の状態を示す要部平面断面図である。
【図７】本発明の他の例を示す要部正面断面図である。
【符号の説明】
【００３９】
Ａ      リモコン装置
Ｃ      配線ケーブル
１      リモコン装置本体
３      取付板
９      壁面
１２    ネジ体挿通孔（孔部）
１３    突起
１３ａ  スリット
１３ｃ  傾斜面
３２    ネジ孔（孔部）
３３    係入用凹溝部
３３ａ  突出部
３３ｂ  起立部
３４    孔部
４１    ネジ体
【図１】
2008187069.tif 000003
【図２】
2008187069.tif 000004
【図３】
2008187069.tif 000005
【図４】
2008187069.tif 000006
【図５】
2008187069.tif 000007
【図６】
2008187069.tif 000008
【図７】
2008187069.tif 000009